(57)【要約】      （修正有）【課題】簡単な操作で、正確に捕獲でき、一旦捕獲しかけた動物を取り逃がすことがない猪、鹿等の有害な野生動物捕獲用の括り罠を提供する。【解決手段】半楕円形で同形の２本のワイヤーガイド３を向い合せて楕円形をなすように取り付けた踏み板用の円形板５を、この円形板より大きい半径の、スプリングガードをはめ込む切り欠け部やワイヤーガイドが垂直に跳ね上がる固定きざみ部を設けた円柱状筒体１にはめ込み、止め具２で止める構造とする。【選択図】図３
0003205827.tif 000002
【実用新案登録請求の範囲】
【請求項１】
半楕円形で同形のワイヤーガイド２本を向い合せて楕円形をなすように取り付けた円形板を、該円形板より大きい半径の円柱状筒体の中にはめ込んだ構造からなることを特徴とする野生動物捕獲用括り罠において該円形板が該ワイヤーガイドに一体連動して締まるワイヤーの固定具を具備していて、該円柱状筒体が、該ワイヤーガード垂直跳ね上がり固定きざみ部を有する構造であることを特徴とする野生動物捕獲用括り罠。
【請求項２】
前記半楕円形の長半径が短半径の１．２〜２．０倍の長さであることを特徴とする請求項１記載の野生動物捕獲用括り罠。
【考案の詳細な説明】
【技術分野】
【０００１】    本考案は、猪、鹿、その他の有害な野生動物を捕獲するために使用する括り罠に関する。
【背景技術】
【０００２】    従来の猪、鹿、その他の有害な野生動物を捕獲するために使用する括り罠は、円形のワイヤーのみを土中に埋設しているだけの括り罠が主であった。【０００３】    そのために、従来の括り罠は設置がしづらく、さらに、捕獲用の動物が円形のワイヤーの上を通過しても、逃げられることも多く、うまく捕獲することができないことが多かった。【０００４】    この問題を解決するために、円柱状器具に、ワイヤーガード２本を向き合わせて取り付けた円形板をはめ込んで、円形板上を動物が通過すれば、円形板のみが下に落ち、２本のワイヤーガードが上側に跳ね上がり、ワイヤーガードに連動したワイヤーで動物を捕獲する提案（例えば、特許文献１参照）もされている。【０００５】    しかしながら、この括り罠では、捕獲用の動物が円形板の上の中央近傍部を通過しない場合には、作動しなかったり、作動が遅れて、捕獲用の動物を取り逃がしてしまうことも多くあり、課題は残されたままであった。
【先行技術文献】
【特許文献】
【０００６】
【特許文献１】  実用新案登録第３１２３６７９号
【考案の概要】
【考案が解決しようとする課題】
【０００７】    従来の猪、鹿、その他の有害な野生動物捕獲用の括り罠は、単に円形のワイヤーを土中に埋設しておき、円形ワイヤー上を通過する捕獲用動物を円形ワイヤーで捕獲するものであった。【０００８】    そのため、捕獲用の動物が円形ワイヤー上の中央部を通過しないと、正確に捕獲することができなかったので、簡単な操作で、正確に捕獲でき、一旦捕獲しかけた動物を取り逃がすことのない有害な野生動物捕獲用の括り罠を提供することである。
【課題を解決するための手段】
【０００９】    本考案は、これらの課題を解決するためになされたものであり、半楕円形で同形のワイヤーガイド２本を向い合せて楕円形をなすように固定アングル具を介して取り付けた円形板を、この円形板より大きい半径の円柱状筒体の中にはめ込んだ構造の野生動物用括り罠とした。【００１０】この括り罠においては、この円形板がこのワイヤーガイドに一体連動して締まるワイヤーの固定具を具備していて、この円柱状筒体が、このワイヤーガイドが垂直に跳ね上がる固定きざみ部を有した構造とした。
【考案の効果】
【００１１】    本考案による猪、鹿等の有害な野生動物捕獲用括り罠は、獣道の向きに沿ってワイヤーガイドの長径方向が略直角向きになるように埋設して設置すれば良く、設置が簡単である。【００１２】    また、ワイヤーガイドは円柱状筒体の中央部に設けられたワイヤーガイド作動後受け部の上中央部から斜め下向きに円形板に止められているため、円形板の中央部はもちろん、どの一部の部分を踏んだ場合でも、２本の長いワイヤーガイドにより高い位置で捕獲することができるので、より正確に捕獲することができる。【００１３】    さらに、ワイヤーガイドは、この円柱状筒体に設けられた垂直跳ね上がり固定きざみ部により、垂直状態で捕獲することもできるので、より正確に捕獲することもでき、一旦捕獲しかけた動物を取り逃がすといったことはなくなる。
【図面の簡単な説明】
【００１４】
【図１】  本考案の円柱状筒体の一例を示す斜視図。
【図２】  本考案の円形板に半楕円形のワイヤーガイド２本を向き合せて取り付けた一例を示す平面図。
【図３】  本考案の円形板に半楕円形のワイヤーガイド２本を向き合わせて取り付けて、円柱状筒体にはめ込んだ一例を示す正面図。
【図４】  本考案の作動後の一例を示す模式正面図。
【図５】  本考案の括り罠を用いた捕獲装置の一例を示す模式正面図。
【考案を実施するための形態】
【００１５】    図１は、本考案の円柱状筒体の一例を示す斜視図であり、図２は本考案の円形板に半楕円形のワイヤーガード２本を向き合わせて取り付けた一例を示す平面図であり、図３は本考案の円形板に半楕円形のワイヤーガイド２本を向き合わせて取り付けて、円柱状筒体にはめ込んだ一例を示す正面図であり、図４は本考案の作動後の一例を示す模式正面図であり、図５は本考案の括り罠を用いた捕獲装置の一例を示す模式平面図であり、以下、図１〜５に基づいて詳細に説明する。
【実施例】
【００１６】    図１に示すように、塩化ビニルやポリプロピレンや木や金属製の円柱状筒体１の外周部の上部に適宜の数の小穴を開けて、この小穴に適宜の数の止め具２を取り付け、図２に示すように、半楕円形のワイヤーガイド３を２本向き合わせて固定アングル具４を介して取り付けた踏み板用の円形板５を円柱状筒体１にはめ込んで、止め具２で踏み板用の円形板５を止めておく。【００１７】    この２本向き合わせて取り付けたワイヤーガイド３は、図３に示すように、円柱状筒体１の中央部に設けられたワイヤーガイド作動後受け部６の上中央部から斜め下向きに取り付けられ、半楕円形のワイヤーガイド３の長半径は円柱状筒体１の半径より大きく、円柱状筒体１には捕獲用のワイヤーに一体連動したスプリング装置７を取り付ければよい。【００１８】  捕獲用の動物が踏み板用の円形板５を踏めば、踏み板用の円形板５は円柱状筒体１の中下に落ちるが、ワイヤーガイド３は円柱状筒体１の中には入れず上側に跳ね上がり、さらに、図４に示すように、円柱状筒体１に設けられている垂直跳ね上がり固定きざみ部８により、垂直部まで跳ね上がり、このワイヤーガイド３に一体連動した、ワイヤーで捕獲動物を効率良く正確に捕獲することができる。【００１９】    また、半楕円形のワイヤーガイドの長半径と短半径の長さについては、長半径の長さが短半径の長さの１．２倍以下では捕獲位置高さが不十分で捕獲効果が少なく、２倍以上にすると設置作業が困難となるため、１．２倍〜２．０倍の長さが好適であり、さらに１．５倍程度が最適である。【００２０】    本考案の括り罠９に、図５に示すように、捕獲用のワイヤーや、スプリングガード１０や、スプリングや、スプリングケース１１や、スプリングストッパー１２や、撚り戻し具１３からなるスプリング装置７を各々一体連動させることにより捕獲装置１４として用いることが可能となる。
【産業上の利用可能性】
【００２１】    本願考案の有害な野生動物捕獲用括り罠は、猪や鹿等に限定されることなく、捕獲場所についても、畑や農園や住宅地や林や森等に限定されることなく、あらゆる種類の動物に対して、あらゆる場所でも広く応用して用いることが可能な、使い勝手の良い括り罠といえる。
【符号の説明】
【００２２】      １  円柱状筒体
２  止め具
３  ワイヤーガイド
４  固定アングル具
５  踏み板用の円形板
６  ワイヤーガード作動後受け部
７  スプリング装置
８  垂直跳ね上がり固定きざみ部
９  本考案の括り罠
１０  スプリングガード
１１  スプリングケース
１２  スプリングストッパー
１３  撚り戻し具
１４  本考案の括り罠を利用した捕獲装置
【図１】
0003205827.tif 000003
【図２】
0003205827.tif 000004
【図３】
0003205827.tif 000005
【図４】
0003205827.tif 000006
【図５】
0003205827.tif 000007